(57)【特許請求の範囲】
【請求項１】
原稿台上に載置された原稿から画像を読み取る光電変換手段と、前記原稿に光を照射する光源とを備えた装置に搭載される原稿サイズ検知装置であって、
外乱光の有無を判断する外乱光判断手段と、
前記外乱光判断手段により外乱光有りと判断された場合に外乱光有りと判断されたポイントを除外した前記原稿台上の範囲における前記光源点灯時の前記光電変換手段の出力に基づき前記原稿台上に載置されている原稿のサイズを判断する原稿サイズ判断手段とを有することを特徴とする原稿サイズ検知装置。
【請求項２】
各種定型原稿の載置位置基準を示す原稿サイズ指標を有する原稿台上に載置された原稿から画像を読み取る光電変換手段と、前記原稿に光を照射する光源とを備えた装置に搭載される原稿サイズ検知装置であって、
前記光源消灯時の前記光電変換手段の出力に基づき外乱光の有無を判断する外乱光判断手段と、
前記外乱光判断手段により外乱光有りと判断された場合に外乱光有りと判断されたポイントよりも前記載置位置基準から遠い側を原稿サイズ検知有効範囲から除外し、前記光源を点灯した状態における前記光電変換手段の出力に基づき前記原稿台上に載置されている原稿のサイズを判断する原稿サイズ判断手段とを有することを特徴とする原稿サイズ検知装置。
【請求項３】
前記外乱光判断手段は、予め設定された閾値と前記光源を消灯した状態における前記光電変換手段の出力とを比較し外乱光の有無を判断することを特徴とする請求項１又は２記載の原稿サイズ検知装置。
【請求項４】
前記原稿台上に載置された原稿の副走査方向長さを検知する原稿サイズ検知手段を有し、前記原稿サイズ判断手段は、前記光電変換手段の出力結果と前記原稿サイズ検知手段の検知結果とを絡め前記原稿台上の原稿のサイズを判断することを特徴とする請求項１又は２記載の原稿サイズ検知装置。
【請求項５】
原稿台上に載置された原稿から画像を読み取る光電変換手段と、前記原稿に光を照射する光源とを備えた画像読取装置であって、
外乱光の有無を判断する外乱光判断手段と、
前記外乱光判断手段により外乱光有りと判断された場合に外乱光有りと判断されたポイントを除外した前記原稿台上の範囲における前記光源点灯時の前記光電変換手段の出力に基づき前記原稿台上に載置されている原稿のサイズを判断する原稿サイズ判断手段とを有することを特徴とする画像読取装置。
【請求項６】
各種定型原稿の載置位置基準を示す原稿サイズ指標を有する原稿台上に載置された原稿から画像を読み取る光電変換手段と、前記原稿に光を照射する光源とを備えた画像読取装置であって、
前記光源消灯時の前記光電変換手段の出力に基づき外乱光の有無を判断する外乱光判断手段と、
前記外乱光判断手段により外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断する原稿サイズ判断手段とを有することを特徴とする画像読取装置。
【請求項７】
前記外乱光判断手段は、予め設定された閾値と前記光源を消灯時の前記光電変換手段の出力とを比較し外乱光の有無を判断することを特徴とする請求項５又は６記載の画像読取装置。
【請求項８】
前記原稿台上に載置された原稿の副走査方向長さを検知する原稿サイズ検知手段を有し、前記原稿サイズ判断手段は、前記光電変換手段の出力結果と前記原稿サイズ検知手段の検知結果とを絡め前記原稿台上の原稿のサイズを判断することを特徴とする請求項５又は６記載の画像読取装置。
【請求項９】
前記画像読取装置は、複写装置、ファクシミリ装置に搭載されることを特徴とする請求項５乃至９のいずれか１項に記載の画像読取装置。
【請求項１０】
原稿台上に載置された原稿から画像を読み取る光電変換手段と、前記原稿に光を照射する光源とを備えた装置に適用される原稿サイズ検知方法であって、
前記光源消灯時の前記光電変換手段の出力に基づき外乱光の有無を判断する外乱光判断工程と、
前記外乱光判断工程において外乱光有りと判断された場合に外乱光有りと判断されたポイントを除外した前記原稿台上の範囲における前記光源点灯時の前記光電変換手段の出力に基づき前記原稿台上の原稿のサイズを判断する原稿サイズ判断工程とを有することを特徴とする原稿サイズ検知方法。
【請求項１１】
各種定型原稿の載置位置基準を示す原稿サイズ指標を有する原稿台上に載置された原稿から画像を読み取る光電変換手段と、前記原稿に光を照射する光源とを備えた装置に適用される原稿サイズ検知方法であって、
前記光源消灯時の前記光電変換手段の出力に基づき外乱光の有無を判断する外乱光判断工程と、
前記外乱光判断工程において外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断する原稿サイズ判断工程とを有することを特徴とする原稿サイズ検知方法。
【請求項１２】
前記外乱光判断工程は、予め設定された閾値と前記光源消灯時の前記光電変換手段の出力とを比較し外乱光の有無を判断することを特徴とする請求項１０又は１１記載の原稿サイズ検知方法。
【請求項１３】
前記原稿台上に載置された原稿の副走査方向長さを検知する原稿サイズ検知工程を有し、前記原稿サイズ判断工程では、前記光電変換手段の出力結果と前記原稿サイズ検知工程での検知結果とを絡め前記原稿台上に載置されている原稿のサイズを判断することを特徴とする請求項１０又は１１記載の原稿サイズ検知方法。
【請求項１４】
原稿台上に載置された原稿から画像を読み取る光電変換手段と、前記原稿に光を照射する光源とを備えた装置に適用される原稿サイズ検知方法を実行するプログラムを記憶したコンピュータにより読み出し可能な記憶媒体であって、
前記原稿サイズ検知方法は、前記光源を消灯状態時の前記光電変換手段の出力に基づき外乱光の有無を判断するように制御する外乱光判断ステップと、前記外乱光判断ステップにおいて外乱光有りと判断された場合に外乱光有りと判断されたポイントを除外した前記原稿台上の範囲における前記光源点灯時の前記光電変換手段の出力に基づき前記原稿台上に載置されている原稿のサイズを判断するように制御する原稿サイズ判断ステップとを有することを特徴とする記憶媒体。
【請求項１５】
各種定型原稿の載置位置基準を示す原稿サイズ指標を有する原稿台上に載置された原稿から画像を読み取る光電変換手段と、前記原稿に光を照射する光源とを備えた装置に適用される原稿サイズ検知方法を実行するプログラムを記憶したコンピュータにより読み出し可能な記憶媒体であって、
前記原稿サイズ検知方法は、前記光源消灯時の前記光電変換手段の出力に基づき外乱光の有無を判断するように制御する外乱光判断ステップと、前記外乱光判断ステップにおいて外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断する原稿サイズ判断ステップとを有することを特徴とする記憶媒体。
【請求項１６】
前記外乱光判断ステップは、予め設定された閾値と前記光源消灯時の前記光電変換手段の出力とを比較し外乱光の有無を判断することを特徴とする請求項１４又は１５記載の記憶媒体。
【請求項１７】
前記原稿台上に載置された原稿の副走査方向長さを検知するように制御する原稿サイズ検知ステップを有し、前記原稿サイズ判断ステップでは、前記光電変換手段の出力結果と前記原稿サイズ検知ステップでの検知結果とを絡め前記原稿台上に載置されている原稿のサイズを判断するように制御することを特徴とする請求項１４又は１５記載の記憶媒体。
【発明の詳細な説明】
【０００１】
【発明の属する技術分野】
本発明は、原稿サイズ検知装置、画像読取装置、原稿サイズ検知方法及び記憶媒体に関し、特に、デジタル複写機、スキャナ、ファクシミリ等で画像読取対象の原稿のサイズを検知する場合に用いて好適な原稿サイズ検知装置、画像読取装置、原稿サイズ検知方法及び記憶媒体に関する。
【０００２】
【従来の技術】
従来、画像読取対象の原稿のサイズを検知する装置には多種多様な方式があるが、例えば特開平５−２０７２３９号公報に記載されているように、原稿先端部を光源で照射し原稿からの反射光をＣＣＤで読み取り、また副走査方向に原稿サイズ検知センサを配置し、これら２つの読み取り結果に基づき原稿サイズを検知している。このように主走査幅検知のみ原稿読み取り用のＣＣＤを使用し原稿サイズを検知することにより、原稿サイズ検知センサの設置数を少なくでき、低コストで且つ効率的な自動原稿検知ができる。
【０００３】
更には、例えば特開平９−３２９８４８号公報に記載されているように、画像読取対象の原稿を抑える原稿圧板の開閉の有無を検知すると共に、原稿圧板が開かれた状態を検知して原稿サイズを判別する手法も知られている。
【０００４】
【発明が解決しようとする課題】
しかしながら、上述した従来技術においては下記のような問題があった。即ち、上述の従来の原稿サイズ検知方法では、基本的な原稿の検知は可能であるが、原稿からの反射光を読み取るときに室内灯などの装置以外からの外乱光も同時に読み取ってしまい、外乱光と原稿からの反射光との区別ができないため、原稿サイズの誤検知を招く可能性があるという問題があった。特に、上記特開平９−３２９８４８号公報に開示された技術においては、原稿圧板の検知タイミングにおける外乱光の影響については言及されていないという課題があった。
【０００５】
本発明は、上述した点に鑑みなされたものであり、外乱光に強く且つ効率的な原稿サイズ検知を実現すると共に、原稿サイズの検知時間の短縮及び効率化を可能とした原稿サイズ検知装置、画像読取装置、原稿サイズ検知方法及び記憶媒体を提供することを目的とする。
【０００６】
【課題を解決するための手段】
上記目的を達成するため、請求項１記載の発明は、原稿台上に載置された原稿から画像を読み取る光電変換手段と、前記原稿に光を照射する光源とを備えた装置に搭載される原稿サイズ検知装置であって、外乱光の有無を判断する外乱光判断手段と、前記外乱光判断手段により外乱光有りと判断された場合に外乱光有りと判断されたポイントを除外した前記原稿台上の範囲における前記光源点灯時の前記光電変換手段の出力に基づき前記原稿台上に載置されている原稿のサイズを判断する原稿サイズ判断手段とを有することを特徴とする。
【０００７】
上記目的を達成するため、請求項２記載の発明は、各種定型原稿の載置位置基準を示す原稿サイズ指標を有する原稿台上に載置された原稿から画像を読み取る光電変換手段と、前記原稿に光を照射する光源とを備えた装置に搭載される原稿サイズ検知装置であって、前記光源消灯時の前記光電変換手段の出力に基づき外乱光の有無を判断する外乱光判断手段と、前記外乱光判断手段により外乱光有りと判断された場合に外乱光有りと判断されたポイントよりも前記載置位置基準から遠い側を原稿サイズ検知有効範囲から除外し、前記光源を点灯した状態における前記光電変換手段の出力に基づき前記原稿台上に載置されている原稿のサイズを判断する原稿サイズ判断手段とを有することを特徴とする。
【０００８】
上記目的を達成するため、請求項３記載の発明は、前記外乱光判断手段は、予め設定された閾値と前記光源を消灯した状態における前記光電変換手段の出力とを比較し外乱光の有無を判断することを特徴とする。
【０００９】
上記目的を達成するため、請求項４記載の発明は、前記原稿台上に載置された原稿の副走査方向長さを検知する原稿サイズ検知手段を有し、前記原稿サイズ判断手段は、前記光電変換手段の出力結果と前記原稿サイズ検知手段の検知結果とを絡め前記原稿台上の原稿のサイズを判断することを特徴とする。
【００１０】
上記目的を達成するため、請求項５記載の発明は、原稿台上に載置された原稿から画像を読み取る光電変換手段と、前記原稿に光を照射する光源とを備えた画像読取装置であって、外乱光の有無を判断する外乱光判断手段と、前記外乱光判断手段により外乱光有りと判断された場合に外乱光有りと判断されたポイントを除外した前記原稿台上の範囲における前記光源点灯時の前記光電変換手段の出力に基づき前記原稿台上に載置されている原稿のサイズを判断する原稿サイズ判断手段とを有することを特徴とする。
【００１１】
上記目的を達成するため、請求項６記載の発明は、各種定型原稿の載置位置基準を示す原稿サイズ指標を有する原稿台上に載置された原稿から画像を読み取る光電変換手段と、前記原稿に光を照射する光源とを備えた画像読取装置であって、前記光源消灯時の前記光電変換手段の出力に基づき外乱光の有無を判断する外乱光判断手段と、前記外乱光判断手段により外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断する原稿サイズ判断手段とを有することを特徴とする。
【００１２】
上記目的を達成するため、請求項７記載の発明は、前記外乱光判断手段は、予め設定された閾値と前記光源を消灯時の前記光電変換手段の出力とを比較し外乱光の有無を判断することを特徴とする。
【００１３】
上記目的を達成するため、請求項８記載の発明は、前記原稿台上に載置された原稿の副走査方向長さを検知する原稿サイズ検知手段を有し、前記原稿サイズ判断手段は、前記光電変換手段の出力結果と前記原稿サイズ検知手段の検知結果とを絡め前記原稿台上の原稿のサイズを判断することを特徴とする。
【００１４】
上記目的を達成するため、請求項９記載の発明は、前記画像読取装置は、複写装置、ファクシミリ装置に搭載されることを特徴とする。
【００１５】
上記目的を達成するため、請求項１０記載の発明は、原稿台上に載置された原稿から画像を読み取る光電変換手段と、前記原稿に光を照射する光源とを備えた装置に適用される原稿サイズ検知方法であって、前記光源消灯時の前記光電変換手段の出力に基づき外乱光の有無を判断する外乱光判断工程と、前記外乱光判断工程において外乱光有りと判断された場合に外乱光有りと判断されたポイントを除外した前記原稿台上の範囲における前記光源点灯時の前記光電変換手段の出力に基づき前記原稿台上の原稿サイズを判断する原稿サイズ判断工程とを有することを特徴とする。
【００１６】
上記目的を達成するため、請求項１１記載の発明は、各種定型原稿の載置位置基準を示す原稿サイズ指標を有する原稿台上に載置された原稿から画像を読み取る光電変換手段と、前記原稿に光を照射する光源とを備えた装置に適用される原稿サイズ検知方法であって、前記光源消灯時の前記光電変換手段の出力に基づき外乱光の有無を判断する外乱光判断工程と、前記外乱光判断工程において外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断する原稿サイズ判断工程とを有することを特徴とする。
【００１７】
上記目的を達成するため、請求項１２記載の発明は、前記外乱光判断工程は、予め設定された閾値と前記光源消灯時の前記光電変換手段の出力とを比較し外乱光の有無を判断することを特徴とする。
【００１８】
上記目的を達成するため、請求項１３記載の発明は、前記原稿台上に載置された原稿の副走査方向長さを検知する原稿サイズ検知工程を有し、前記原稿サイズ判断工程では、前記光電変換手段の出力結果と前記原稿サイズ検知工程での検知結果とを絡め前記原稿台上に載置されている原稿のサイズを判断することを特徴とする。
【００１９】
上記目的を達成するため、請求項１４記載の発明は、原稿台上に載置された原稿から画像を読み取る光電変換手段と、前記原稿に光を照射する光源とを備えた装置に適用される原稿サイズ検知方法を実行するプログラムを記憶したコンピュータにより読み出し可能な記憶媒体であって、前記原稿サイズ検知方法は、前記光源を消灯状態時の前記光電変換手段の出力に基づき外乱光の有無を判断するように制御する外乱光判断ステップと、前記外乱光判断ステップにおいて外乱光有りと判断された場合に外乱光有りと判断されたポイントを除外した前記原稿台上の範囲における前記光源点灯時の前記光電変換手段の出力に基づき前記原稿台上に載置されている原稿のサイズを判断するように制御する原稿サイズ判断ステップとを有することを特徴とする。
【００２０】
上記目的を達成するため、請求項１５記載の発明は、各種定型原稿の載置位置基準を示す原稿サイズ指標を有する原稿台上に載置された原稿から画像を読み取る光電変換手段と、前記原稿に光を照射する光源とを備えた装置に適用される原稿サイズ検知方法を実行するプログラムを記憶したコンピュータにより読み出し可能な記憶媒体であって、前記原稿サイズ検知方法は、前記光源消灯時の前記光電変換手段の出力に基づき外乱光の有無を判断するように制御する外乱光判断ステップと、前記外乱光判断ステップにおいて外乱光有りと判断された場合に外乱光有りと判断されたポイントよりも前記載置位置基準から遠い側を原稿サイズ検知有効範囲から除外し、前記光源点灯時の前記光電変換手段の出力に基づき前記原稿台上に載置されている原稿のサイズを判断するように制御する原稿サイズ判断ステップとを有することを特徴とする。
【００２１】
上記目的を達成するため、請求項１６記載の発明は、前記外乱光判断ステップは、予め設定された閾値と前記光源消灯時の前記光電変換手段の出力とを比較し外乱光の有無を判断することを特徴とする。
【００２２】
上記目的を達成するため、請求項１７記載の発明は、前記原稿台上に載置された原稿の副走査方向長さを検知するように制御する原稿サイズ検知ステップを有し、前記原稿サイズ判断ステップでは、前記光電変換手段の出力結果と前記原稿サイズ検知ステップでの検知結果とを絡め前記原稿台上に載置されている原稿のサイズを判断するように制御することを特徴とする。
【００２３】
【発明の実施の形態】
以下、本発明の実施の形態を図面に基づいて詳細に説明する。
【００２４】
［第１の実施の形態］
図２は本発明の第１の実施の形態に係る画像読取装置の画像読取系の構成を示す構成図、図３は本発明の第１の実施の形態に係る画像読取装置の原稿台ガラスの構成を示す上面図である。本発明の第１の実施の形態に係る画像読取装置は、本発明の原稿サイズ検知が適用される一般的なデジタル画像読取装置であり、原稿台ガラス１０２、ランプ１０５・ミラー１０６を有する光学台１０７、ミラー１０８・ミラー１０９を有する光学台１１０、レンズ１１１、ＣＣＤ１１２、原稿サイズ検知センサ１１３を筺体１１４の各部に備えている。図中１０１は原稿を示す。
【００２５】
上記構成を詳述すると、原稿台ガラス１０２は、筺体１１４の上部を構成しており、画像読取対象の原稿１０１が載置される。また、原稿台ガラス１０２には、外周部に原稿サイズラベル１０３が配置されると共に、図３の左上に示す奥側基準突き当て部に原稿合わせマーク１０４が示されており、定型サイズ原稿が図３に示すように載置されることになる。光学台１０７に配置されたランプ１０５は、原稿面に対して光を照射する。光学台１０７に配置されたミラー１０６は、原稿によって反射されたランプ１０５からの光を反射する。
【００２６】
光学台１１０に配置されたミラー１０８、１０９は、光学台１０７のミラー１０６によって反射された光を反射させレンズ１１１に向ける。レンズ１１１は、光学台１１０によって導かれる原稿面からの光を集光する。ＣＣＤ１１２は、レンズ１１１によって集光された原稿面からの光を受けて光電変換を行う光電変換素子である。原稿サイズ検知センサ１１３は、原稿台ガラス１０２に載置された原稿１０１の副走査長さ方向の原稿サイズを検知するものであり、原稿台ガラス１０２における原稿の有無を２値で出力する。上記の構成を用いて原稿読み取りを行う。
【００２７】
図１は本発明の第１の実施の形態に係る画像読取装置の制御系の構成を示すブロック図である。本発明の第１の実施の形態に係る画像読取装置の制御系は、ランプ１０５、ＣＣＤ１１２、原稿サイズ検知センサ１１３、Ａ／Ｄ変換回路２０１、光学モータ２０２、スキャナコントローラ２０３を備えている。
【００２８】
上記構成を詳述すると、ＣＣＤ１１２は、上述した如く原稿面からの光を受け原稿読み取りを行う。Ａ／Ｄ変換回路２０１は、ＣＣＤ１１２の出力信号をアナログ／デジタル変換する。光学モータ２０２は、光学台１０７、光学台１１０を移動し原稿を走査する。ランプ１０５は、上述した如く原稿面に光を照射する。原稿サイズ検知センサ１１３は、上述した如く原稿の副走査長さ方向の検知を行う。
【００２９】
スキャナコントローラ２０３は、ＣＣＤ１１２、光学モータ２０２、ランプ１０５、原稿サイズ検知センサ１１３を制御し、Ａ／Ｄ変換回路２０１から出力されるデジタル信号から原稿の主走査方向長さを検知し、また原稿サイズ検知センサ１１３により原稿の副走査長さ方向サイズを判断し、これら２つの検知結果を絡め、原稿サイズ判定を行う。また、スキャナコントローラ２０３は、後述の図１３（第１の実施の形態）、図１４（第２〜第４の実施の形態）のフローチャートに示す原稿サイズ検知処理を実行する。
【００３０】
図４は本発明の第１の実施の形態に係る画像読取装置の原稿台ガラス上における原稿サイズ判定に用いる検知ポイントを示す上面図である。原稿副走査長さ方向検知のための原稿サイズ検知センサ（反射型センサ）１１３を図示の検知ポイントに配置することにより、主走査各サイズ部についてのみ光学台１０７を原稿台ガラス１０２上の図示の位置に配置しＣＣＤ１１２にて読み取りを行う。
【００３１】
図１６は本発明の第１〜第４の実施の形態に係るプログラム及び関連データが記憶媒体から装置に供給される概念例を示す説明図である。プログラム及び関連データは、フロッピディスクやＣＤ−ＲＯＭ等の記憶媒体１６１を装置１６２に装備された記憶媒体ドライブ挿入口１６３に挿入することで供給される。その後、プログラム及び関連データを記憶媒体１６１から一旦ハードディスクにインストールしハードディスクからＲＡＭにロードするか、或いはハードディスクにインストールせずに直接ＲＡＭにロードすることで、プログラム及び関連データを実行することが可能となる。
【００３２】
この場合、本発明の第１〜第４の実施の形態に係る画像読取装置においてプログラムを実行する場合は、例えば上記図１６に示したような手順で画像読取装置にプログラム及び関連データを供給するか、或いは画像読取装置に予めプログラム及び関連データを格納しておくことで、プログラム実行が可能となる。
【００３３】
図１５は本発明の第１〜第４の実施の形態に係るプログラム及び関連データを記憶した記憶媒体の記憶内容の構成例を示す説明図である。記憶媒体は、例えばボリューム情報１５１、ディレクトリ情報１５２、プログラム実行ファイル１５３、プログラム関連データファイル１５４等の記憶内容で構成される。プログラムは、後述の図１３（第１の実施の形態）、図１４（第２〜第４の実施の形態）のフローチャートに基づきプログラムコード化されたものである。
【００３４】
尚、本発明の特許請求の範囲における各構成要件と、本発明の第１〜第４の実施の形態における各部との対応関係は下記の通りである。光電変換手段はＣＣＤ１１２に対応し、光源はランプ１０５に対応し、外乱光判断手段、原稿サイズ判断手段はスキャナコントローラ２０３に対応し、原稿サイズ検知手段は原稿サイズ検知センサ１１３に対応し、原稿サイズ指標は原稿台ガラス１０２の原稿サイズラベル１０３、原稿合わせマーク１０４に対応する。
【００３５】
次に、上記の如く構成された本発明の第１の実施の形態に係る画像読取装置において原稿サイズ検知を行う場合の動作を上記図１〜図４並びに図５〜図９を参照しながら詳細に説明する。
【００３６】
本発明の第１の実施の形態では、図５及び図６に示すように画像読取装置の上部に蛍光灯４０１がある場合の原稿サイズ検知について説明する。先ず、画像読取装置のスキャナコントローラ２０３は、副走査長さ方向の原稿サイズを検知する原稿サイズ検知センサ１１３を制御し、原稿サイズ検知センサ１１３の２値出力信号に基づき原稿の有り無しと原稿の副走査長さ方向のサイズを判定する（ステップＳ１３１）。次に、スキャナコントローラ２０３はランプ１０５を消灯し、原稿面主走査方向情報をＣＣＤ１１２により読み込む（ステップＳ１３２）。このときの読み取りデータを図７に示す。図７のように外乱光である蛍光灯４０１の光がＣＣＤ１１２に入ってくる。また、原稿台ガラス１０２上の原稿が載置されている部分は、画像読取装置上部の蛍光灯４０１からの光がけられる。
【００３７】
上記の載置原稿による外乱光のけられを利用し、スキャナコントローラ２０３はＣＣＤ１１２の出力信号をＡ／Ｄ変換回路２０１によりデジタル信号として読み取り、予め設定された閾値に基づき外乱光の有り無し判断を行い（ステップＳ１３３）、外乱光ありと判断したポイントを検知ポイントから除外する（ステップＳ１３４）。検知除外範囲を図８に示す。次に、スキャナコントローラ２０３はランプ１０５を点灯し、ＣＣＤ１１２によって原稿面情報を読み込む（ステップＳ１３５）。このときの読み取りデータを図９に示す。
【００３８】
次に、スキャナコントローラ２０３はＣＣＤ１１２の出力信号をＡ／Ｄ変換回路２０１よりデジタル信号として読み取り、予め設定された閾値に基づき原稿からの反射光の有り無し判断を行い（ステップＳ１３６）、反射光ありポイントを原稿ありと判断する（ステップＳ１３７）。この後、スキャナコントローラ２０３は、原稿サイズ検知センサ１１３による副走査長さ方向判定とＣＣＤ１１２による主走査判定結果に基づき、図１２に示すように原稿サイズを判定する（ステップＳ１３８）。
【００３９】
以上説明したように、本発明の第１の実施の形態に係る画像読取装置によれば、外周部に原稿サイズラベル１０３が配置され奥側基準突き当て部に原稿合わせマーク１０４が付加された原稿台ガラス１０２と、原稿台ガラス１０２上の原稿に光を照射するランプ１０５と、原稿台ガラス１０２上の原稿像を読み取るＣＣＤ１１２と、ＣＣＤ１１２の出力に基づき外乱光の有無を判断する制御、ランプ１０５を消灯して原稿面を読み取る消灯読み取り時のＣＣＤ１１２の出力に基づき外乱光有りと判断した場合、外乱光有りと判断したポイントを検知から除外し、ランプ１０５を点灯して原稿面を読み取る点灯読み取り時のＣＣＤ１１２の出力に基づき原稿台ガラス１０２上の原稿サイズを判断する制御を行うスキャナコントローラ２０３とを備える構成としているため、下記のような作用及び効果を奏する。
【００４０】
上記構成において、スキャナコントローラ２０３は原稿の副走査長さ方向のサイズを判定した後、ランプ１０５を消灯し、予め設定された閾値に基づき外乱光の有無を判断し、外乱光ありと判断したポイントを検知ポイントから除外する。次に、スキャナコントローラ２０３はランプ１０５を点灯し、予め設定された閾値に基づき原稿からの反射光の有無を判断し、反射光ありポイントを原稿ありと判断する。
【００４１】
従って、本発明の第１の実施の形態においては、画像読取装置のランプ１０５を消灯し外乱光検知を行うため、外乱光による誤検知を低減することができる。また、外乱光ありと判断したポイントを検知から除外するため、外乱光に強く且つ効率的な原稿サイズ検知を実現することができる。更に、原稿サイズの検知時間の短縮、効率化を図ることができる。
【００４２】
［第２の実施の形態］
本発明の第２の実施の形態に係る画像読取装置の画像読取系は、上記第１の実施の形態と同様に、原稿台ガラス１０２、ランプ１０５・ミラー１０６を有する光学台１０７、ミラー１０８・ミラー１０９を有する光学台１１０、レンズ１１１、ＣＣＤ１１２、原稿サイズ検知センサ１１３を筺体１１４の各部に備えている（上記図２参照）。各部の構成は上記第１の実施の形態で詳述したので説明を省略する。
【００４３】
また、本発明の第２の実施の形態に係る画像読取装置の制御系は、上記第１の実施の形態と同様に、ランプ１０５、ＣＣＤ１１２、原稿サイズ検知センサ１１３、Ａ／Ｄ変換回路２０１、光学モータ２０２、スキャナコントローラ２０３を備えている（上記図１参照）。各部の構成は上記第１の実施の形態で詳述したので説明を省略する。
【００４４】
次に、上記の如く構成された本発明の第２の実施の形態に係る画像読取装置において原稿サイズ検知を行う場合の動作を上記図１〜図７並びに図１０〜図１２を参照しながら詳細に説明する。
【００４５】
本発明の第２の実施の形態では、図５及び図６に示すように画像読取装置の上部に蛍光灯４０１がある場合の原稿サイズ検知について説明する。先ず、画像読取装置のスキャナコントローラ２０３は、副走査長さ方向の原稿サイズを検知する原稿サイズ検知センサ１１３を制御し、原稿サイズ検知センサ１１３の２値出力信号に基づき原稿の有り無しと原稿の副走査長さ方向のサイズを判定する（ステップＳ１４１）。次に、スキャナコントローラ２０３はランプ１０５を消灯し、原稿面主走査方向情報をＣＣＤ１１２により読み込む（ステップＳ１４２）。このときの読み取りデータを図７に示す。図７のように外乱光である蛍光灯４０１の光がＣＣＤ１１２に入ってくる。また、原稿台ガラス１０２上の原稿が載置されている部分は、画像読取装置上部の蛍光灯４０１からの光がけられる。
【００４６】
上記の載置原稿による外乱光のけられを利用し、スキャナコントローラ２０３はＣＣＤ１１２の出力信号をＡ／Ｄ変換回路２０１によりデジタル信号として読み取り、予め設定された閾値に基づき外乱光の有り無し判断を行い（ステップＳ１４３）、外乱光ありと判断したポイントより原稿短手方向のみ検知有効範囲とする（ステップＳ１４４）。検知除外範囲を図１０に示す。次に、スキャナコントローラ２０３はランプ１０５を点灯し、ＣＣＤ１１２によって原稿面情報を読み込む（ステップＳ１４５）。このときの読み取りデータを図１１に示す。
【００４７】
次に、スキャナコントローラ２０３はＣＣＤ１１２の出力信号をＡ／Ｄ変換回路２０１よりデジタル信号として読み取り、予め設定された閾値に基づき原稿からの反射光の有り無し判断を行い（ステップＳ１４６）、反射光ありポイントを原稿ありと判断する（ステップＳ１４７）。この後、スキャナコントローラ２０３は、原稿サイズ検知センサ１１３による副走査長さ方向判定とＣＣＤ１１２による主走査判定結果に基づき、図１２に示すように原稿サイズを判定する（ステップＳ１４８）。
【００４８】
以上説明したように、本発明の第２の実施の形態に係る画像読取装置によれば、外周部に原稿サイズラベル１０３が配置され奥側基準突き当て部に原稿合わせマーク１０４が付加された原稿台ガラス１０２と、原稿台ガラス１０２上の原稿に光を照射するランプ１０５と、原稿台ガラス１０２上の原稿像を読み取るＣＣＤ１１２と、ＣＣＤ１１２の出力に基づき外乱光の有無を判断する制御、ランプ１０５を消灯して原稿面を読み取る消灯読み取り時のＣＣＤ１１２の出力に基づき外乱光有りと判断した場合、外乱光有りと判断したポイントより原稿短手方向のみ検知有効範囲とし、ランプ１０５を点灯して原稿面を読み取る点灯読み取り時のＣＣＤ１１２の出力に基づき原稿台ガラス１０２上の原稿サイズを判断する制御を行うスキャナコントローラ２０３とを備える構成としているため、下記のような作用及び効果を奏する。
【００４９】
上記構成において、スキャナコントローラ２０３は原稿の副走査長さ方向のサイズを判定した後、ランプ１０５を消灯し、予め設定された閾値に基づき外乱光の有無を判断し、外乱光ありと判断したポイントより原稿短手方向のみ検知有効範囲とする。次に、スキャナコントローラ２０３はランプ１０５を点灯し、予め設定された閾値に基づき原稿からの反射光の有無を判断し、反射光ありポイントを原稿ありと判断する。
【００５０】
従って、本発明の第２の実施の形態においては、画像読取装置のランプ１０５を消灯し外乱光検知を行うため、外乱光による誤検知を低減することができる。また、画像読取装置の原稿台ガラス１０２の奥側基準突き当て部に原稿合わせマーク１０４を付加する構成をとっているため、外乱光ありと判断したポイントより原稿短手方向部のみ検知有効範囲とすることができるので、外乱光に強く且つ効率的な原稿サイズ検知を実現することができる。更に、原稿サイズの検知時間の短縮、効率化を図ることができる。
【００５１】
［第３の実施の形態］
本発明の第３の実施の形態に係る画像読取装置の画像読取系は、上記第１、第２の実施の形態と同様に、原稿台ガラス１０２、ランプ１０５・ミラー１０６を有する光学台１０７、ミラー１０８・ミラー１０９を有する光学台１１０、レンズ１１１、ＣＣＤ１１２、原稿サイズ検知センサ１１３を筺体１１４の各部に備えている（上記図２参照）。
【００５２】
図１７は本発明の第３の実施の形態に係る画像読取装置の原稿台ガラスの構成を示す上面図である。図１７の構成で上記第１、第２の実施の形態との違いについて記述すると、原稿台ガラスにおける上端側には、副走査原稿サイズラベル１１５が配置されるとともに、原稿台ガラスにおける左端側には、主走査原稿サイズラベル１１６が配置されており、定型サイズ原稿（Ｂ６、Ｂ５、Ｂ５Ｒ、Ａ５、Ａ４、Ａ４Ｒ、Ａ３）が、図示のように載置されることになる。図中１１３は原稿サイズ検知センサである。
【００５３】
また、本発明の第３の実施形態に係る画像読取装置の制御系は、上記第１、第２の実施の形態と同様に、ランプ１０５、ＣＣＤ１１２、原稿サイズ検知センサ１１３、Ａ／Ｄ変換回路２０１、光学モータ２０２、スキャナコントローラ２０３を備えている（上記図１参照）。
【００５４】
図１８は本発明の第３の実施形態に係る画像読取装置の原稿台ガラス上における原稿サイズ判定に用いる検知ポイントを示す上面図である。原稿副走査長さ方向検知のための原稿サイズ検知センサ（反射型センサ）１１３を図示の検知ポイントに配置することにより、主走査各サイズ部についてのみ光学台１０７を原稿台ガラス１０２上の図示の位置に配置しＣＣＤ１１２にて原稿の読み取りを行う。
【００５５】
次に、上記の如く構成された本発明の第３の実施の形態に係る画像読取装置において原稿サイズ検知を行う場合の動作を上記図１〜図２、図５、図１４、図１７〜図１９並びに図２０〜図２２を参照しながら詳細に説明する。
【００５６】
本発明の第３の実施の形態では、図５及び図１９に示すように、画像読取装置の上部に蛍光灯４０１がある場合の原稿サイズ検知について説明する。先ず、画像読取装置のスキャナコントローラ２０３は、副走査長さ方向の原稿サイズを検知する原稿サイズ検知センサ１１３を制御し、原稿サイズ検知センサ１１３の２値出力信号に基づき、原稿の有り無しと原稿の副走査長さ方向のサイズを判定する（ステップＳ１４１）。次に、スキャナコントローラ２０３は、ランプ１０５を消灯し、原稿面主走査方向情報をＣＣＤ１１２により読み込む（ステップＳ１４２）。このときの読み取りデータを図２０に示す。図２０に示すように、外乱光である蛍光灯４０１の光がＣＣＤ１１２に入ってくる。また、原稿台ガラス１０２上の原稿が載置されている部分は、画像読取装置上部の蛍光灯４０１からの光がけられる。
【００５７】
上記の載置原稿による外乱光のけられを利用し、スキャナコントローラ２０３は、ＣＣＤ１１２の出力信号をＡ／Ｄ変換回路２０１によりデジタル信号として読み取り、予め設定された閾値に基づき外乱光の有り無し判断を行い（ステップＳ１４３）、外乱光ありと判断したポイントより原稿短手方向のみ検知有効範囲とする（ステップＳ１４４）。検知除外範囲を図２１に示す。
【００５８】
次に、スキャナコントローラ２０３は、ランプ１０５を点灯し、ＣＣＤ１１２によって原稿面情報を読み込む（ステップＳ１４５）。このときの読み取りデータを図２２に示す。次に、スキャナコントローラ２０３は、ＣＣＤ１１２の出力信号をＡ／Ｄ変換回路２０１よりデジタル信号として読み取り、予め設定された閾値に基づき原稿からの反射光の有り無し判断を行い（ステップＳ１４６）、反射光ありポイントを原稿ありと判断する（ステップＳ１４７）。この後、スキャナコントローラ２０３は、原稿サイズ検知センサ１１３による副走査長さ方向判定と、ＣＣＤ１１２による主走査判定結果に基づき、図１２に示すように原稿サイズを判定する（ステップＳ１４８）。
【００５９】
以上説明したように、本発明の第３の実施の形態に係る画像読取装置によれば、外周部に主走査原稿サイズラベル１１６、副走査原稿サイズラベル１１５が配置された原稿台ガラス１０２と、原稿台ガラス１０２上の原稿に光を照射するランプ１０５と、原稿台ガラス１０２上の原稿像を読み取るＣＣＤ１１２と、ＣＣＤ１１２の出力に基づき外乱光の有無を判断する制御、ランプ１０５を消灯して原稿面を読み取る消灯読み取り時のＣＣＤ１１２の出力に基づき外乱光有りと判断した場合、外乱光有りと判断したポイントより原稿短手方向のみ検知有効範囲とし、ランプ１０５を点灯して原稿面を読み取る点灯読み取り時のＣＣＤ１１２の出力に基づき原稿台ガラス１０２上の原稿サイズを判断する制御を行うスキャナコントローラ２０３とを備える構成としているため、下記のような作用及び効果を奏する。
【００６０】
上記構成において、スキャナコントローラ２０３は原稿の副走査長さ方向のサイズを判定した後、ランプ１０５を消灯し、予め設定された閾値に基づき外乱光の有無を判断し、外乱光ありと判断したポイントより原稿短手方向のみ検知有効範囲とする。次に、スキャナコントローラ２０３はランプ１０５を点灯し、予め設定された閾値に基づき原稿からの反射光の有無を判断し、反射光ありポイントを原稿ありと判断する。
【００６１】
従って、本発明の第３の実施の形態においては、画像読取装置のランプ１０５を消灯し外乱光検知を行うため、外乱光による誤検知を低減することができる。また、画像読取装置の原稿台ガラス１０２に主走査原稿サイズラベル１１６、副走査原稿サイズラベル１１５が配置される構成をとっているため、外乱光ありと判断したポイントより原稿短手方向部のみ検知有効範囲とすることができるので、外乱光に強く且つ効率的な原稿サイズ検知を実現することができる。更に、原稿サイズの検知時間の短縮、効率化を図ることができる。
【００６２】
［第４の実施の形態］
本発明の第４の実施の形態に係る画像読取装置の画像読取系は、上記第１〜第３の実施の形態と同様に、原稿台ガラス１０２、ランプ１０５・ミラー１０６を有する光学台１０７、ミラー１０８・ミラー１０９を有する光学台１１０、レンズ１１１、ＣＣＤ１１２、原稿サイズ検知センサ１１３を筺体１１４の各部に備えている（上記図２参照）。各部の構成は上記第１の実施の形態で詳述したので説明を省略する。
【００６３】
また、本発明の第４の実施の形態に係る画像読取装置の制御系は、上記第１〜第３の実施の形態と同様に、ランプ１０５、ＣＣＤ１１２、原稿サイズ検知センサ１１３、Ａ／Ｄ変換回路２０１、光学モータ２０２、スキャナコントローラ２０３を備えている（上記図１参照）。各部の構成は上記第１の実施の形態で詳述したので説明を省略する。
【００６４】
次に、上記の如く構成された本発明の第４の実施の形態に係る画像読取装置において原稿サイズ検知を行う場合の動作を上記図１〜図６並びに図１２、図２３〜図２４を参照しながら詳細に説明する。
【００６５】
本発明の第４の実施の形態では、図５及び図６に示すように画像読取装置の上部に蛍光灯４０１がある場合ではなく、蛍光灯などからの外乱光が画像読取装置に入らない場合の原稿サイズ検知について説明する。先ず、画像読取装置のスキャナコントローラ２０３は、副走査長さ方向の原稿サイズを検知する原稿サイズ検知センサ１１３を制御し、原稿サイズ検知センサ１１３の２値出力信号に基づき、原稿の有り無しと原稿の副走査長さ方向のサイズを判定する（ステップＳ１４１）。次に、スキャナコントローラ２０３は、ランプ１０５を消灯し、原稿面主走査方向情報をＣＣＤ１１２により読み込む（ステップＳ１４２）。このときの読み取りデータを図２３に示す。図２３に示すように、外乱光等の光はＣＣＤ１１２に入ってこない。
【００６６】
ここで、スキャナコントローラ２０３は、ＣＣＤ１１２の出力信号をＡ／Ｄ変換回路２０１によりデジタル信号として読み取り、予め設定された閾値に基づき外乱光の有り無し判断を行い（ステップＳ１４３）、外乱光ありと判断したポイントより原稿短手方向のみ検知有効範囲とする（ステップＳ１４４）。図２３に示すように外乱光が入らない場合は、全ての検知ポイントにて外乱光なしと判断されるため、全ての検知ポイントが検知有効範囲のまま次の処理に移る。
【００６７】
次に、スキャナコントローラ２０３は、ランプ１０５を点灯し、ＣＣＤ１１２によって原稿面情報を読み込む（ステップＳ１４５）。このときの読み取りデータを図２４に示す。次に、スキャナコントローラ２０３は、ＣＣＤ１１２の出力信号をＡ／Ｄ変換回路２０１よりデジタル信号として読み取り、予め設定された閾値に基づき原稿からの反射光の有り無し判断を行い（ステップＳ１４６）、反射光ありポイントを原稿ありと判断する（ステップＳ１４７）。この後、スキャナコントローラ２０３は、原稿サイズ検知センサ１１３による副走査長さ方向判定と、ＣＣＤ１１２による主走査判定結果に基づき、図１２に示すように原稿サイズを判定する（ステップＳ１４８）。
【００６８】
以上説明したように、本発明の第４の実施の形態に係る画像読取装置によれば、外周部に原稿サイズラベル１０３が配置され奥側基準突き当て部に原稿合わせマーク１０４が付加された原稿台ガラス１０２と、原稿台ガラス１０２上の原稿に光を照射するランプ１０５と、原稿台ガラス１０２上の原稿像を読み取るＣＣＤ１１２と、ＣＣＤ１１２の出力に基づき外乱光の有無を判断する制御、ランプ１０５を消灯して原稿面を読み取る消灯読み取り時のＣＣＤ１１２の出力に基づき外乱光有りと判断した場合、外乱光有りと判断したポイントより原稿短手方向のみ検知有効範囲とし、ランプ１０５を点灯して原稿面を読み取る点灯読み取り時のＣＣＤ１１２の出力に基づき原稿台ガラス１０２上の原稿サイズを判断する制御を行うスキャナコントローラ２０３とを備える構成としているため、下記のような作用及び効果を奏する。
【００６９】
上記構成において、スキャナコントローラ２０３は原稿の副走査長さ方向のサイズを判定した後、ランプ１０５を消灯し、予め設定された閾値に基づき外乱光の有無を判断し、外乱光ありと判断したポイントより原稿短手方向のみ検知有効範囲とする。次に、スキャナコントローラ２０３はランプ１０５を点灯し、予め設定された閾値に基づき原稿からの反射光の有無を判断し、反射光ありポイントを原稿ありと判断する。
【００７０】
従って、本発明の第４の実施の形態においては、画像読取装置のランプ１０５を消灯し外乱光検知を行うため、外乱光による誤検知を低減することができる。また、外乱光がない場合でも、全ての検知ポイントを検知有効範囲とするので、外乱光がない場合にも正確な原稿サイズ検知を実現することができる。
【００７１】
［他の実施の形態］
上述した本発明の第１〜第４の実施の形態においては、本発明の原稿サイズ検知を画像読取装置に適用した場合を例に上げたが、本発明は画像読取装置における原稿サイズ検知に限定されるものではなく、複写機における原稿サイズ検知、ファクシミリ装置における原稿サイズ検知に適用することも可能である。
【００７２】
また、上述した本発明の第１〜第４の実施の形態においては、本発明の原稿サイズ検知を装置単体に適用した場合を例に上げたが、本発明は装置単体における原稿サイズ検知に限定されるものではなく、画像読取装置と情報処理装置等を接続したシステムにおける原稿サイズ検知、複写機と情報処理装置等を接続したシステムにおける原稿サイズ検知、ファクシミリ装置と情報処理装置等を接続したシステムにおける原稿サイズ検知、画像読取装置・複写機・ファクシミリ装置と情報処理装置等を接続したシステムにおける原稿サイズ検知に適用することも可能である。
【００７３】
尚、本発明は、複数の機器から構成されるシステムに適用しても、１つの機器からなる装置に適用してもよい。上述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体等の媒体に格納されたプログラムコードを読み出し実行することによっても、達成されることは言うまでもない。
【００７４】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ、或いはダウンロードなどを用いることができる。
【００７５】
また、コンピュータが読み出したプログラムコードを実行することにより、上述した実施形態の機能が実現されるだけでなく、そのプログラムコードの指示に基づき、コンピュータ上で稼働しているＯＳなどが実際の処理の一部または全部を行い、その処理によって上述した実施形態の機能が実現される場合も含まれることは言うまでもない。
【００７６】
更に、記憶媒体等の媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００７７】
【発明の効果】
以上説明したように、本発明によれば、外乱光の影響を軽減し、効率的な原稿サイズ検知を実現することができる。
【図面の簡単な説明】
【図１】本発明の第１乃至第４の実施の形態に係る画像読取装置の制御系の構成を示すブロック図である。
【図２】本発明の第１乃至第４の実施の形態に係る画像読取装置の画像読取系の構成を示す構成図である。
【図３】本発明の第１及び第２の実施の形態に係る画像読取装置の原稿台ガラスの構成を示す上面図である。
【図４】本発明の第１及び第２の実施の形態に係る画像読取装置の原稿台ガラス上における原稿サイズ判定に用いる検知ポイントを示す上面図である。
【図５】本発明の第１及び第２の実施の形態に係る画像読取装置と蛍光灯との位置関係を示す側面図である。
【図６】本発明の第１及び第２の実施の形態に係る画像読取装置と蛍光灯との位置関係を示す上面図である。
【図７】本発明の第１及び第２の実施の形態に係る画像読取装置のＣＣＤ出力と主走査位置との関係を示す特性図である。
【図８】本発明の第１の実施の形態に係る画像読取装置のＣＣＤ出力と主走査位置との関係及び検知除外範囲を示す特性図である。
【図９】本発明の第１の実施の形態に係る画像読取装置のＣＣＤ出力と主走査位置との関係及び検知除外範囲を示す特性図である。
【図１０】本発明の第２の実施の形態に係る画像読取装置のＣＣＤ出力と主走査位置との関係及び検知除外範囲を示す特性図である。
【図１１】本発明の第２の実施の形態に係る画像読取装置のＣＣＤ出力と主走査位置との関係及び検知除外範囲を示す特性図である。
【図１２】本発明の第１及び第２の実施の形態に係る画像読取装置における主走査サイズ判定結果と原稿検知センサ判定結果を示す説明図である。
【図１３】本発明の第１の実施の形態に係る画像読取装置の原稿サイズ検知処理を示すフローチャートである。
【図１４】本発明の第２乃至第４の実施の形態に係る画像読取装置の原稿サイズ検知処理を示すフローチャートである。
【図１５】本発明の第１乃至第４の実施の形態に係るプログラム及び関連データを記憶した記憶媒体の記憶内容の構成例を示す説明図である。
【図１６】本発明の第１乃至第４の実施の形態に係るプログラム及び関連データが記憶媒体から装置に供給される概念例を示す説明図である。
【図１７】本発明の第３の実施の形態に係る画像読取装置の原稿台ガラスの構成を示す上面図である。
【図１８】本発明の第３の実施の形態に係る画像読取装置の原稿台ガラス上における原稿サイズ判定に用いる検知ポイントを示す上面図である。
【図１９】本発明の第３の実施の形態に係る画像読取装置の上部に蛍光灯がある場合の原稿台ガラス上における原稿サイズ判定に用いる検知ポイントを示す上面図である。
【図２０】本発明の第３の実施の形態に係る原稿面主走査方向情報の読み取りデータを示す説明図である。
【図２１】本発明の第３の実施の形態に係る検知除外範囲を示す説明図である。
【図２２】本発明の第３の実施の形態に係る原稿面情報の読み取りデータを示す説明図である。
【図２３】本発明の第４の実施の形態に係る原稿面主走査方向情報の読み取りデータを示す説明図である。
【図２４】本発明の第４の実施の形態に係る原稿面情報の読み取りデータを示す説明図である。
【符号の説明】
１０２  原稿台ガラス
１０３  原稿サイズラベル
１０４  原稿合わせマーク
１０５  ランプ
１１２  ＣＣＤ
１１３  原稿サイズ検知センサ
１１５  副走査原稿サイズラベル
１１６  主走査原稿サイズラベル
２０３  スキャナコントローラ
【図１】
0003564078.tif 000002
【図２】
0003564078.tif 000003
【図３】
0003564078.tif 000004
【図４】
0003564078.tif 000005
【図５】
0003564078.tif 000006
【図６】
0003564078.tif 000007
【図７】
0003564078.tif 000008
【図８】
0003564078.tif 000009
【図９】
0003564078.tif 000010
【図１０】
0003564078.tif 000011
【図１１】
0003564078.tif 000012
【図１２】
0003564078.tif 000013
【図１３】
0003564078.tif 000014
【図１４】
0003564078.tif 000015
【図１５】
0003564078.tif 000016
【図１６】
0003564078.tif 000017
【図１７】
0003564078.tif 000018
【図１８】
0003564078.tif 000019
【図１９】
0003564078.tif 000020
【図２０】
0003564078.tif 000021
【図２１】
0003564078.tif 000022
【図２２】
0003564078.tif 000023
【図２３】
0003564078.tif 000024
【図２４】
0003564078.tif 000025